(57)【特許請求の範囲】
【請求項１】
赤外線通信機能を有する携帯装置間の赤外線連続通信システムにおいて、
送信側の携帯装置から複数の受信側の携帯装置に送信すべき同一の送信データを保持するメモリと、
送信側の携帯装置の送信対象である複数の受信側の携帯装置の数を送信回数として入力するキーと、
送信側の携帯装置の場合には送信データの電気信号を赤外線信号に変換し受信側の携帯装置に対して送信し、送信データを受信した旨のデータの赤外線信号を受信側の携帯装置から受信し電気信号に変換し、さらに、受信側の携帯装置の場合には送信データの赤外線信号を送信側の携帯装置から受信し電気信号に変換し、送信データを受信した旨のデータの電気信号を赤外線信号に変換し送信側の携帯装置に送信する赤外線通信装置と、
送信側の携帯装置の場合には前記メモリから選択された送信データ、前記キーで入力された送信回数を決定し、決定された送信データを受信側の携帯装置の前記赤外線通信装置に送出し、送出した送信データに対して受信側の携帯装置の前記赤外線通信装置から送信データを受信した旨のデータを受信することを条件に決定された送信回数だけ送信データを受信側の携帯装置の前記赤外線通信装置に逐次送出し、さらに、受信側の携帯装置の場合には送信側の携帯装置の前記赤外線通信装置から送信データを受信した場合には送信データを受信した旨のデータを送信側の携帯装置の前記赤外線通信装置に送出するように前記赤外線通信装置を制御する制御装置とを備えることを特徴とする赤外線連続通信システム。
【請求項２】
送信側の携帯装置の場合には、前記メモリに保持されている送信データを表示部に表示させ、キーにより送信データを選択することを可能にする特徴とする、請求項１に記載の赤外線連続通信システム。
【請求項３】
前記メモリに前回の送信に用いた送信データと共に送信回数を保持させ、前記キーの操作による赤外線送信設定で送信側の携帯装置から受信側の複数の携帯装置の各々に対して同一データを送信回数だけ送信することを特徴とする、請求項１に記載の赤外線連続通信システム。
【請求項４】
表示部に送信データと共に送信回数を表示させ、送信したい表示内容を選択、決定することを可能とする、請求項３に記載の赤外線連続通信システム。
【請求項５】
前記送信側の携帯装置の制御装置では送信データの１回の送出に対して赤外線通信装置から受信した旨のデータを複数受信した場合には送信データを複数回行ったとすることを特徴とする、請求項１に記載の赤外線連続通信システム。
【請求項６】
前記受信した旨のデータに前記受信側の複数の携帯装置の制御装置の各々の識別情報を含め、前記送信側の携帯装置の制御装置では赤外線通信装置に対して送信データを複数回送出し、これに対して赤外線通信装置から同一の識別番号の受信した旨のデータを複数回受信した場合には、送信データの複数回送出を１回の送出とすることを特徴とする、請求項１に記載の赤外線連続通信システム。
【請求項７】
前記送信側の携帯装置を携帯用リモコンとし、前記受信側の複数の携帯装置を複数の固定のアクチュエータとし、前記携帯用リモコンで前記複数の固定のアクチュエータの動作を逐次行うことを特徴とする、請求項１に記載の赤外線連続通信システム。
【請求項８】
送信側の携帯装置を固定の情報提供端末装置とし、前記情報提供端末装置から受信側の複数の携帯装置に対してサービス情報を逐次提供することを特徴とする、請求項１に記載の赤外線連続通信システム。
【請求項９】
赤外線通信機能を有する携帯装置間の赤外線連続通信方法において、
送信側の携帯装置から複数の受信側の携帯装置に送信すべき同一の送信データを保持する工程と、
送信側の携帯装置の送信対象である複数の受信側の携帯装置の数を送信回数として入力する工程と、
前記メモリから選択された送信データ、前記キーで入力された送信回数を決定する工程と、
決定された送信データの電気信号を赤外線信号に変換し送信し、送信データを受信した旨のデータの赤外線信号を受信し電気信号に変換する工程と、
送信した送信データに対して送信データを受信した旨のデータを受信することを条件に決定された送信回数だけ送信データを逐次送信させる工程と、
送信データの赤外線信号を受信し電気信号に変換し、送信データを受信した場合には送信データを受信した旨のデータの電気信号を赤外線信号に変換し送信する工程とを備えることを特徴とする赤外線連続通信方法。
【請求項１０】
赤外線通信機能を有する携帯装置間の赤外線連続通信をコンピュータで実行するプログラムにおいて、
送信側の携帯装置から複数の受信側の携帯装置に送信すべき同一の送信データを保持する手順と、
送信側の装置の送信対象である複数の受信側の携帯装置の数を送信回数として入力する手順と、
前記メモリから選択された送信データ、前記キーで入力された送信回数を決定する手順と、
決定された送信データの電気信号を赤外線信号に変換し送信し、送信データを受信した旨のデータの赤外線信号を受信し電気信号に変換する手順と、
送信した送信データに対して送信データを受信した旨のデータを受信することを条件に決定された送信回数だけ送信データを逐次送信させる手順と、
送信データの赤外線信号を受信し電気信号に変換し、送信データを受信した場合には送信データを受信した旨のデータの電気信号を赤外線信号に変換し送信する手順とを備えることを特徴とする赤外線連続通信をコンピュータで実行するプログラム。
【請求項１１】
赤外線通信機能を有する携帯電話端末装置において、
送信側の携帯電話端末装置から複数の受信側の携帯電話端末装置に送信すべき同一の送信データを保持するメモリと、
送信側の携帯電話端末装置の送信対象である複数の受信側の携帯電話端末装置の数を送信回数として入力するキーと、
送信側の携帯電話端末装置の場合には送信データの電気信号を赤外線信号に変換し受信側の携帯電話端末装置に対して送信し、送信データを受信した旨のデータの赤外線信号を受信側の携帯電話端末装置から受信し電気信号に変換し、さらに、受信側の携帯電話端末装置の場合には送信データの赤外線信号を送信側の携帯電話端末装置から受信し電気信号に変換し、送信データを受信した旨のデータの電気信号を赤外線信号に変換し送信側の携帯電話端末装置に送信する赤外線通信装置と、
送信側の携帯電話端末装置の場合には前記メモリから選択された送信データ、前記キーで入力された送信回数を決定し、決定された送信データを受信側の携帯電話端末装置の前記赤外線通信装置に送出し、送出した送信データに対して受信側の携帯電話端末装置の前記赤外線通信装置から送信データを受信した旨のデータを受信することを条件に決定された送信回数だけ送信データを受信側の携帯電話端末装置の前記赤外線通信装置に逐次送出し、さらに、受信側の携帯電話端末装置の場合には送信側の携帯電話端末装置の前記赤外線通信装置から送信データを受信した場合には送信データを受信した旨のデータを送信側の携帯電話端末装置の前記赤外線通信装置に送出するように前記赤外線通信装置を制御する送出する制御装置とを備えることを特徴とする携帯電話端末装置。
【発明の詳細な説明】
【技術分野】
【０００１】
本発明は赤外線通信を使用しデータのやりとりをする赤外線通信システムに関する。特に、本発明は、データを複数の赤外線通信装置に対して連続して送信することを可能にする赤外線連続通信システム、方法、プログラム及び携帯電話端末装置に関する。
【背景技術】
【０００２】
本発明の前提となる携帯電話端末装置において、個人情報、電話帳内にある他の情報、撮影画像、ダウンロード画像等を友人、知り合い、家族等に送信したい時、メールにて送信するか、赤外線通信（ＩｒＤＡ）を使用し、データのやりとりをしている。赤外線通信装置は現在ほとんどの携帯電話端末装置に装備されており、赤外線通信機能を使用することにより、様々なデータを通信することが可能になった。
【０００３】
しかしながら、本発明の前提となる携帯電話端末装置には次のような問題点がある。問題は、１度の送信設定で１回しか通信（送受信）することができないため、連続して複数の携帯電話端末装置に送信する場合、赤外線通信機能を再設定する必要があり、操作が煩雑であることである。
このような問題に関連に対して以下の従来技術がある。
【０００４】
従来、所定の通信品質を維持するための送信電力制御を迅速に行うことが可能な携帯端末およびその送信電力制御方法を提供するため、データ通信の開始時に、所定通信品質を得る送信電力制御のための初期設定値を、過去のデータ通信における設定値および基地局情報と共にメモリ部に保存し、次にデータ通信する際に、この保存された基地局情報に基づき、対応する初期値を設定するものがある（例えば、特許文献１参照）。
【０００５】
しかしながら、上記特許文献１では、通信における設定値をメモリ部に保存し制御を迅速に行うものであるが、１度の送信設定で１回しか通信することができず、再設定が煩雑な赤外線通信機能の操作を容易にするものではない。
また、従来、経済性、操作性、高速性の面で多大の効果を得ることができる移動体電話機の情報コピー方法を提供するため、コピー元移動体電話機およびコピー先移動体電話機の両方に近距離通信システム部を備え、この近距離通信システム部を使用して、コピー元移動体電話機とコピー先移動体電話機間で直接情報のコピーを可能とするものもある（例えば、特許文献２参照）。
【０００６】
しかしながら、上記特許文献２では、コピー元移動体電話機とコピー先移動体電話機間で直接情報のコピーを可能とするものであるが、前述のように、１度の送信設定で１回しか通信することができず、再設定が煩雑な赤外線通信機能の操作を容易にするものではない。
また、従来、伝送レート要求の受信性能を十分に保ちつつ、通信システム全体のスループットを上げるため、ＳＩＲ測定部は、逆拡散部から出力された逆拡散後のパイロット信号から受信ＳＩＲを測定し、ＣＱＩ合成回数決定部は、受信ＳＩＲに基づいて、ＣＱＩの復号時の合成回数を決定し、バッファに保持されているＣＱＩ信号の数が決定されたＣＱＩの合成回数に達したとき、バッファは、保持されているＣＱＩ信号を復号部に出力し、復号部は、バッファから出力されたＣＱＩ信号をＣＱＩ合成回数制御装置で決定された合成回数で復号し、スケジューラは、復号部から出力されたＣＱＩ値に基づいて送信データの伝送レートを決定し、送信フレーム作成部は、この伝送レートに基づいて送信フレームを作成するものもある（例えば、特許文献３参照）。
【０００７】
しかしながら、上記特許文献３では、バッファに保持されているＣＱＩ信号の数が決定されたＣＱＩの合成回数に達したとき、バッファから出力されたＣＱＩ信号をＣＱＩ合成回数制御装置で決定された合成回数で復号するものであるが、前述のように、１度の送信設定で１回しか通信することができず、再設定が煩雑な赤外線通信機能の操作を容易にするものではない。
また、従来、移動体に対する比較的データ量の多い通信を赤外線信号を用いて行うため、送信区間に送信ユニットを複数並べ、この送信区間を通過しながら移動体に設けられた受信機は送信ユニットからの赤外線信号を受信し、この赤外線信号は、一つのデータが複数の制御情報を付与されたデータに分割されたものであり、受信機は送信区間を通過しながらこのデータを無作為に受信し、受信機は制御情報にしたがって分割されたデータを一つのデータに合成復号するものもある（例えば、特許文献４参照）。
【０００８】
しかしながら、上記特許文献４では、送信区間に送信ユニットを複数並べ、この送信区間を通過しながら移動体に設けられた受信機は送信ユニットからの赤外線信号を受信するものであるが、前述のように、１度の送信設定で１回しか通信することができず、再設定が煩雑な赤外線通信機能の操作を容易にするものではない。
【０００９】
【特許文献１】特開２００４−１９３８５１号公報
【特許文献２】特開２００２−１１２３３４号公報
【特許文献３】特開２００５−１６７３８９号公報
【特許文献４】特開平０７−１０７０３６号公報
【発明の開示】
【発明が解決しようとする課題】
【００１０】
したがって、本発明は上記問題点に鑑みて、１度の送信設定で連続して複数の携帯電話端末装置に送信することを可能にする赤外線連続通信システム、方法、プログラム及び携帯電話端末装置を提供することを目的とする。
【課題を解決するための手段】
【００１１】
本発明は前記問題点を解決するために、赤外線通信機能を有する携帯装置間の赤外線連続通信システムにおいて、送信側の携帯装置から複数の受信側の携帯装置に送信すべき同一の送信データを保持するメモリと、送信側の携帯装置の送信対象である複数の受信側の携帯装置の数を送信回数として入力するキーと、送信側の携帯装置の場合には送信データの電気信号を赤外線信号に変換し受信側の携帯装置に対して送信し、送信データを受信した旨のデータの赤外線信号を受信側の携帯装置から受信し電気信号に変換し、さらに、受信側の携帯装置の場合には送信データの赤外線信号を送信側の携帯装置から受信し電気信号に変換し、送信データを受信した旨のデータの電気信号を赤外線信号に変換し送信側の携帯装置に送信する赤外線通信装置と、送信側の携帯装置の場合には前記メモリから選択された送信データ、前記キーで入力された送信回数を決定し、決定された送信データを受信側の携帯装置の前記赤外線通信装置に送出し、送出した送信データに対して受信側の携帯装置の前記赤外線通信装置から送信データを受信した旨のデータを受信することを条件に決定された送信回数だけ送信データを受信側の携帯装置の前記赤外線通信装置に逐次送出し、さらに、受信側の携帯装置の場合には送信側の携帯装置の前記赤外線通信装置から送信データを受信した場合には送信データを受信した旨のデータを送信側の携帯装置の前記赤外線通信装置に送出するように前記赤外線通信装置を制御する制御装置とを備えることを特徴とする赤外線連続通信システムを提供する。
【００１２】
さらに、送信側の携帯装置の場合には、前記メモリに保持されている送信データを表示部に表示させ、キーにより送信データを選択することを可能にする。
さらに、前記メモリに前回の送信に用いた送信データと共に送信回数を保持させ、前記キーの操作による赤外線送信設定で送信側の携帯装置から受信側の複数の携帯装置の各々に対して同一データを送信回数だけ送信する。
【００１３】
さらに、表示部に送信データと共に送信回数を表示させ、送信したい表示内容を選択、決定することを可能とする。
さらに、前記送信側の携帯装置の制御装置では送信データの１回の送出に対して赤外線通信装置から受信した旨のデータを複数受信した場合には送信データを複数回行ったとする。
さらに、前記受信した旨のデータに前記受信側の複数の携帯装置の制御装置の各々の識別情報を含め、前記送信側の携帯装置の制御装置では赤外線通信装置に対して送信データを複数回送出し、これに対して赤外線通信装置から同一の識別番号の受信した旨のデータを複数回受信した場合には、送信データの複数回送出を１回の送出とする。
【００１４】
さらに、前記送信側の携帯装置を携帯用リモコンとし、前記受信側の複数の携帯装置を複数の固定のアクチュエータとし、前記携帯用リモコンで前記複数の固定のアクチュエータの動作を逐次行う。
さらに、送信側の携帯装置を固定の情報提供端末装置とし、前記情報提供端末装置から受信側の複数の携帯装置に対してサービス情報を逐次提供する。
【００１５】
さらに、本発明は、赤外線通信機能を有する携帯装置間の赤外線連続通信方法において、送信側の携帯装置から複数の受信側の携帯装置に送信すべき同一の送信データを保持する工程と、送信側の携帯装置の送信対象である複数の受信側の携帯装置の数を送信回数として入力する工程と、前記メモリから選択された送信データ、前記キーで入力された送信回数を決定する工程と、決定された送信データの電気信号を赤外線信号に変換し送信し、送信データを受信した旨のデータの赤外線信号を受信し電気信号に変換する工程と、送信した送信データに対して送信データを受信した旨のデータを受信することを条件に決定された送信回数だけ送信データを逐次送信させる工程と、送信データの赤外線信号を受信し電気信号に変換し、送信データを受信した場合には送信データを受信した旨のデータの電気信号を赤外線信号に変換し送信する工程とを備えることを特徴とする赤外線連続通信方法を提供する。
【００１６】
さらに、本発明は、赤外線通信機能を有する携帯装置間の赤外線連続通信をコンピュータで実行するプログラムにおいて、送信側の携帯装置から複数の受信側の携帯装置に送信すべき同一の送信データを保持する手順と、送信側の装置の送信対象である複数の受信側の携帯装置の数を送信回数として入力する手順と、前記メモリから選択された送信データ、前記キーで入力された送信回数を決定する手順と、決定された送信データの電気信号を赤外線信号に変換し送信し、送信データを受信した旨のデータの赤外線信号を受信し電気信号に変換する手順と、送信した送信データに対して送信データを受信した旨のデータを受信することを条件に決定された送信回数だけ送信データを逐次送信させる手順と、送信データの赤外線信号を受信し電気信号に変換し、送信データを受信した場合には送信データを受信した旨のデータの電気信号を赤外線信号に変換し送信する手順とを備えることを特徴とする赤外線連続通信をコンピュータで実行するプログラムを提供する。
【００１７】
さらに、本発明は、赤外線通信機能を有する携帯電話端末装置において、送信側の携帯電話端末装置から複数の受信側の携帯電話端末装置に送信すべき同一の送信データを保持するメモリと、送信側の携帯電話端末装置の送信対象である複数の受信側の携帯電話端末装置の数を送信回数として入力するキーと、送信側の携帯電話端末装置の場合には送信データの電気信号を赤外線信号に変換し受信側の携帯電話端末装置に対して送信し、送信データを受信した旨のデータの赤外線信号を受信側の携帯電話端末装置から受信し電気信号に変換し、さらに、受信側の携帯電話端末装置の場合には送信データの赤外線信号を送信側の携帯電話端末装置から受信し電気信号に変換し、送信データを受信した旨のデータの電気信号を赤外線信号に変換し送信側の携帯電話端末装置に送信する赤外線通信装置と、送信側の携帯電話端末装置の場合には前記メモリから選択された送信データ、前記キーで入力された送信回数を決定し、決定された送信データを受信側の携帯電話端末装置の前記赤外線通信装置に送出し、送出した送信データに対して受信側の携帯電話端末装置の前記赤外線通信装置から送信データを受信した旨のデータを受信することを条件に決定された送信回数だけ送信データを受信側の携帯電話端末装置の前記赤外線通信装置に逐次送出し、さらに、受信側の携帯電話端末装置の場合には送信側の携帯電話端末装置の前記赤外線通信装置から送信データを受信した場合には送信データを受信した旨のデータを送信側の携帯電話端末装置の前記赤外線通信装置に送出するように前記赤外線通信装置を制御する送出する制御装置とを備えることを特徴とする携帯電話端末装置を提供する。
【発明の効果】
【００１８】
以上説明したように、本発明によれば、送信側の装置から複数の受信側の装置に送信すべき同一の送信データを保持し、送信側の装置の送信対象である複数の受信側の装置の数を送信回数として入力し、メモリから選択された送信データ、キーで入力された送信回数を決定し、決定された送信データの電気信号を赤外線信号に変換し送信し、送信データを受信した旨のデータの赤外線信号を受信し電気信号に変換し、送信した送信データに対して送信データを受信した旨のデータを受信することを条件に決定された送信回数だけ送信データを逐次送信させ、送信データの赤外線信号を受信し電気信号に変換し、送信データを受信した場合には送信データを受信した旨のデータの電気信号を赤外線信号に変換し送信するようにしたので、１度の送信データ設定で、送信側の携帯電話端末装置から受信側の複数の携帯電話端末装置の各々に対して同じデータを連続して送信することが可能になり、これにより複数の人に対して同じデータを連続して送信することが可能となる。１回目の送信完了後も、繰り返し次の送信を実行し、任意に決定した回数分、送信を繰り返し実行するためである。
【発明を実施するための最良の形態】
【００１９】
以下、本発明の実施の形態について図面を参照して説明する。
図１は本発明に係る赤外線連続通信システムの概略構成を示すブロック図である。本図に示すように、赤外線連続通信システム１００は、携帯電話端末装置２００、携帯電話端末装置２００−１、携帯電話端末装置２００−２、…、携帯電話端末装置２００−ｎを対象とし、１つの携帯電話端末装置２００から他の複数の携帯電話端末装置２００−１、携帯電話端末装置２００−２、…、携帯電話端末装置２００−ｎに対して連続赤外線通信をコンピュータのプログラム制御で実行可能とする（ｎ：正の整数）。
【００２０】
ここに、携帯電話端末装置２００、携帯電話端末装置２００−１〜２００−ｎの各々は携帯可能で基地局と無線接続し、携帯電話端末装置のネットワークを経由して他の基地局と無線接続で他の携帯電話端末装置と電話、通信を行うことが可能である。
一例として、携帯電話端末装置２００、２００−１〜２００−ｎの各々の構造は同一であり、携帯電話端末装置２００にはキー２００Ａ、制御装置２００Ｂ、赤外線通信装置２００Ｃ、表示部２００Ｄが設けられ、携帯電話端末装置２００−１にはキー２００−１Ａ、制御装置２００−１Ｂ、赤外線通信装置２００−１Ｃ、表示部２００−１Ｄが設けられ、携帯電話端末装置２００−２にはキー２００−２Ａ、制御装置２００−２Ｂ、赤外線通信装置２００−２Ｃ、表示部２００−２Ｄが設けられ、…、携帯電話端末装置２００−ｎにはキー２００−ｎＡ、制御装置２００−ｎＢ、赤外線通信装置２００−ｎＣ、表示部２００−ｎＤが設けられる。
【００２１】
携帯電話端末装置２００から携帯電話端末装置２００−１〜２００−ｎに対して赤外線信号で送信すべき同一の送信データが連続して逐次送信されるとする。
送信側の携帯電話端末装置２００ではキー２００Ａにより表示部２００Ｄの赤外線通信設定画面に表示される送信データが選択され、さらに、赤外線信号で同一の送信データを連続して送信すべき送信回数が入力され、赤外線通信装置２００Ｃに対して送信データの赤外線送信が設定される。
【００２２】
ここに、送信回数は携帯電話端末装置２００から携帯電話端末装置２００−１〜２００−ｎの各々に対して同一のデータを送信する回数であり、送信対象である携帯電話端末装置２００−１〜２００−ｎの数「ｎ」に対応する。
キー２００Ａには制御装置２００Ｂが接続され、制御装置２００Ｂは、キー２００Ａにより入力された送信回数ｎ分だけ、送信すべき同一の送信データを連続して逐次赤外線通信する制御を行う機能を有する。
【００２３】
制御装置２００Ｂには赤外線通信装置２００Ｃが接続され、赤外線通信装置２００Ｃは制御装置２００Ｂから送出された送信データを電気信号から赤外線信号に変換し受信側の携帯電話端末装置２００−１〜２００−ｎの各々に送信し、この送信に対して受信側の携帯電話端末装置２００−１〜２００−ｎの各々から受信した旨のデータの赤外線信号が赤外線通信装置２００Ｃに送信され、受信した旨のデータの赤外線信号を受信した場合には電気信号に変換して受信した旨のデータを制御装置２００Ｂに送出する。
【００２４】
制御装置２００Ｂには表示部２００Ｄが接続され、表示部２００Ｄは赤外線通信設定画面に送信すべき送信データを表示する機能を有する。
受信側の携帯電話端末装置２００−１の赤外線通信装置２００−１Ｃでは、送信側の携帯電話端末装置２００の赤外線通信装置２００Ｃから受信した赤外線信号を電気信号の送信データに変換し、制御装置２００−１Ｂに送出し、制御装置２００−１Ｂでは送信データを受信した場合には受信した旨のデータを赤外線通信装置２００−１Ｃに送出し、赤外線通信装置２００−１Ｃでは受信した旨のデータの電気信号を赤外線信号に変換して送信側の携帯電話端末装置２００の赤外線通信装置２００Ｃに送信する。
【００２５】
同様に、受信側の携帯電話端末装置２００−２の赤外線通信装置２００−２Ｃでは、送信側の携帯電話端末装置２００の赤外線通信装置２００Ｃから受信した赤外線信号を電気信号の送信データに変換し、制御装置２００−２Ｂに送出し、制御装置２００−２Ｂでは送信データを受信した場合には受信した旨のデータを赤外線通信装置２００−２Ｃに送出し、赤外線通信装置２００−２Ｃでは受信した旨の電気信号のデータを赤外線信号に変換して送信側の携帯電話端末装置２００の赤外線通信装置２００Ｃに送信する。
…
【００２６】
同様に、受信側の携帯電話端末装置２００−ｎの赤外線通信装置２００−ｎＣでは、送信側の携帯電話端末装置２００の赤外線通信装置２００Ｃから受信した赤外線信号を電気信号の送信データに変換し、制御装置２００−ｎＢに送出し、制御装置２００−ｎＢでは送信データを受信した場合には受信した旨のデータを赤外線通信装置２００−ｎＣに送出し、赤外線通信装置２００−ｎＣでは受信した旨の電気信号のデータを赤外線信号に変換して送信側の携帯電話端末装置２００の赤外線通信装置２００Ｃに送信する。
【００２７】
受信側の携帯電話端末装置２００−１の赤外線通信装置２００−１Ｃ、携帯電話端末装置２００−２の赤外線通信装置２００−２Ｃ、…、携帯電話端末装置２００−ｎの赤外線通信装置２００−ｎＣから受信した旨のデータを、赤外線通信装置２００Ｃを経由して、送信側の携帯電話端末装置２００の制御装置２００Ｂで受信した場合には、表示部２００Ｄに、携帯電話端末装置２００−１〜２００−ｎで受信したか否かの状態を表示させる。
【００２８】
図２は図１における制御装置２００Ｂ、２００−１Ｂ〜２００−ｎＢの各々の概略構成を示すブロック図である。
本図に示すように、制御装置２００Ｂ、２００−１Ｂ〜２００−ｎＢの各々にはＣＰＵ（中央演算装置）２１０、ＣＰＵ２１１、メモリ２１２が設けられる。
ここに、送信側の携帯電話端末装置２００の制御装置２００Ｂにおけるメモリ２１２には送信すべき送信データが保持される。送信データとして、例えば、個人情報、電話帳内にある他の情報、撮影画像、ダウンロード画像がメモリ２１２に保持される。
【００２９】
メモリ２１２にはＣＰＵ２１０が接続され、ＣＰＵ２１０はメモリ２１２に保持されている必要な送信データが表示部２００Ｄの赤外線通信設定画面に表示されキー２００Ａで選択されると、送信データの選択、送信回数ｎのキー２００Ａによる入力を決定する。
ＣＰＵ２１０にはＣＰＵ２１１が接続され、さらに、ＣＰＵ２１１は赤外線通信装置２００Ｃに接続され、ＣＰＵ２１０で選択し、決定された送信データを決まったタイミングで赤外線通信装置２００Ｃに送信回数ｎ分だけ送出する。
【００３０】
受信側の携帯電話端末装置２００−１の赤外線通信装置２００−１Ｃ、携帯電話端末装置２００−２の赤外線通信装置２００−２Ｃ、…、携帯電話端末装置２００−３の赤外線通信装置２００−３Ｃで電気信号に変換された送信データをＣＰＵ２１１で受信すると、ＣＰＵ２１１から、受信した旨のデータを携帯電話端末装置２００−２の赤外線通信装置２００−２Ｃ、…、携帯電話端末装置２００−３の赤外線通信装置２００−３Ｃに送出する。
【００３１】
以上の説明では、一例として携帯電話端末装置２００を送信側、携帯電話端末装置２００−１〜２００−ｎを受信側としたが、携帯電話端末装置２００を受信側とし、携帯電話端末装置２００−１〜２００−ｎの任意の１つを送信側とし、他を受信側としても同様に説明が可能である。
図３は図１における赤外線連続通信システムの一連の動作を説明するフローチャート図である。本図に示すように、ステップ３０１において、送信側の携帯電話端末装置２００では、キー２００Ａの入力により、表示部２００Ｄの赤外線通信設定画面に表示される送信データであって送信したい送信データが選択される。
【００３２】
ステップ３０２において、制御装置２００Ｂで送信データの選択を決定する。
ステップ３０３において、キー２００Ａにより送信したい送信回数ｎ（人数）が入力される。
ステップ３０４において、制御装置２００Ｂで送信回数ｎの入力を決定する。
ステップ３０５において、Ｎ＝１（Ｎ：正の整数、１≦Ｎ≦ｎ）の設定を行う。
【００３３】
ステップ３０６において、キー２００Ａにより赤外線通信装置２００Ｃによる送信データの赤外線送信が設定される。これにより、送信データを制御装置２００Ｂから赤外線通信装置２００Ｃに送出し、赤外線通信装置２００Ｃから、例えば、携帯電話端末装置２００−Ｎの赤外線通信装置２００−ＮＣに送信される。
ステップ３０７において、キー２００Ａによる赤外線送信設定でＮ回目の送信データの赤外線送信に対して、受信応答が有無を判断する。すなわち、受信側の携帯電話端末装置２００−Ｎの赤外線通信装置２００−ＮＣで赤外線の送信信号を受信し電気信号に変換した送信データを制御装置２００−ＮＢに送出し、制御装置２００−ＮＢから受信した旨のデータを赤外線通信装置２００−ＮＣに送出し、赤外線通信装置２００−ＮＣで受信した旨の電気信号のデータを赤外線信号に変換して赤外線通信装置２００Ｃに送信した場合、制御装置２００では赤外線通信装置２００Ｃで受信したデータの赤外線信号を受信したか否かを判断する。受信応答の有る場合にはステップ３１０に進む。
【００３４】
ステップ３０８において、受信応答が無い場合には赤外線送信設定後一定時間経過したか否かを判断し、一定時間経過前との判断時にはステップ３０６に戻る。すなわち、決まった時間内に、受信応答が無い場合には送信データに対して何度か再送信を行う。
ステップ３０９において、一定時間経過後の判断時にはＮ回目の送受信不可としてステップ３１１に進む。決まった時間内に制御装置２００で受信した旨のデータの受信を認識できなかった時には次回の送信準備をする。
【００３５】
ステップ３１０において、Ｎ回目の送受信が完了する。
ステップ３１１において、１回目からＮ回目の送受信完了／Ｎ回目の送受信不可を表示する。
ステップ３１２において、Ｎ＞ｎ−１の成立を判断する。Ｎ＞ｎ−１の場合は処理を終了する。これにより、制御装置２００Ｂにて最初に決定されたｎ回分の送受信作業が終了したことを認識し通信完了となる。
【００３６】
ステップ３１３において、Ｎ≦ｎ−１の場合には次回の送信を準備しＮ＝Ｎ＋１とし、ステップ３０６に戻る。これにより、制御装置２００Ｂから赤外線通信装置２００ＣにＮ回目と同じ送信データが送出され、今度は、赤外線通信装置２００Ｃから受信側の携帯電話端末装置２００−（Ｎ＋１）の赤外線通信装置２００−（Ｎ＋１）Ｃに送信され、上記処理を繰り返す。
【００３７】
したがって、本発明によれば、１度の送信データ設定で、携帯電話端末装置２００から携帯電話端末装置２００−１〜２００−ｎに対して同じデータを連続して送信することが可能になり、これにより複数の人に対して同じデータを連続して送信することが可能となる。１回目の送信完了後も、繰り返し次の送信を実行し、任意に決定した回数分、送信を繰り返し実行するためである。
【実施例１】
【００３８】
図１における携帯電話端末装置２００の制御装置２００Ｂにおける図２のメモリ２１２に前回送信した送信データ、送信回数を保持させる。これにより、赤外線通信を実行する際に同じデータを同じ回数分だけ送信したい場合にはキー２００Ａの操作による赤外線送信設定だけで同一データを複数の人に送信することを可能とする。これにより、送信データの選択、送信回数の設定が不要となる。
【００３９】
さらに、図１における携帯電話端末装置２００の制御装置２００Ｂでは、表示部２００Ｄに送信データと共に送信回数を表示させ、送信したい表示内容を選択、決定することが可能である。これにより、送信データ、送信回数の確認が容易になる。
【実施例２】
【００４０】
送信側の携帯電話端末装置２００の赤外線通信装置２００Ｃの赤外線信号の送信角度、受信側の携帯電話端末装置２００−１〜２００−ｎの赤外線通信装置２００−１Ｃ〜２００−ｎＣの各々の赤外線信号の受信角度により、送信側の携帯電話端末装置２００の赤外線通信装置２００Ｃから送信データの１回の送信で受信側の携帯電話端末装置２００−１〜２００−ｎの赤外線通信装置２００−１Ｃ〜２００−ｎＣから送信データを受信した旨のデータを複数受信した場合には、送信データを複数回送信したとする。無駄な送信を防止するためである。
【実施例３】
【００４１】
受信側の携帯電話端末装置２００−１の制御装置２００−１Ｂ、携帯電話端末装置２００−２の制御装置２００−２Ｂ、…、携帯電話端末装置２００−ｎの制御装置２００−ｎＢから受信した旨のデータを送信側の携帯電話端末装置２００の制御装置２００Ｂに送信する場合に、受信した旨のデータと共に受信側の携帯電話端末装置２００−１〜２００−ｎの各々の識別番号を送信する。
【００４２】
送信側の携帯電話端末装置２００の制御装置２００Ｂで、赤外線通信装置２００Ｃに対して送信データを複数回送出し、これに対して赤外線通信装置２００Ｃから同一の識別番号の受信した旨のデータを複数回受信した場合には、送信側の携帯電話端末装置２００の制御装置２００Ｂからの複数の送信回数を１回の送信回数とする。同一の受信側の携帯電話端末装置に複数回の送信を認めると、他の受信側の携帯電話端末装置への送信が不可能になるためである。
【実施例４】
【００４３】
送信側の携帯電話端末装置２００として赤外線通信機能を有する携帯用リモコンとし、携帯電話端末装置２００−１〜２００−ｎとして赤外線通信機能を有し赤外線信号を受信して動作する複数のアクチュエータに対して、例えば、複数のドアのロック、ロック解除を行うロック部とし、携帯用リモコンからの同一の送信データの赤外線信号を送信し、複数のドアのロック部ではリモコンからの同一の送信データの赤外線信号を受信し、受信した送信データにより複数のドアを逐次ロックし又はロックを解除することを可能にする。
【００４４】
このようにして、携帯用リモコンで複数のアクチュエータの動作状態を逐次確認しながら、アクチュエータを動作させることが可能になる。
【実施例５】
【００４５】
さらに、送信側の携帯電話端末装置に代わり公営競技の車券、馬券、船券売り場等に固定して設置されサービス情報を提供する情報提供端末装置を用いることが可能である。これにより、受信側の限定数の携帯電話端末装置に対してサービス情報を提供することが可能になる。
【産業上の利用可能性】
【００４６】
以上の説明では、受信側、送信側が携帯電話端末装置について行ったが、これに限らず、ＰＨＳ（簡易携帯電話機）、ＰＤＡ（携帯情報端末）にも利用可能である。
【図面の簡単な説明】
【００４７】
【図１】本発明に係る赤外線連続通信システムの概略構成を示すブロック図である。
【図２】図１における制御装置２００Ｂ、２００−１Ｂ〜２００−ｎＢの各々の概略構成を示すブロック図である。
【図３】図１における赤外線連続通信システムの一連の動作を説明するフローチャート図である。
【符号の説明】
【００４８】
１００…赤外線連続通信システム
２００、２００−１、２００−２、…、２００−ｎ…携帯電話端末装置
２００Ａ、２００−１Ａ〜２００−ｎＡ…キー
２００Ｂ、２００−１Ｂ〜２００−ｎＢ…制御装置
２００Ｃ、２００−１Ｃ〜２００−ｎＣ…赤外線通信装置
２００Ｄ、２００−１Ｄ〜２００−ｎＤ…表示部
２１０、２１１…ＣＰＵ
２１２…メモリ
【図１】
0004683330.tif 000002
【図２】
0004683330.tif 000003
【図３】
0004683330.tif 000004